(57)【特許請求の範囲】
【請求項１】
針状のラッピング端子に、ジャンパ線を接続するためのラッピング端子用コネクタであって、
直線状に伸びた筒状で、前記ラッピング端子を挿入する端子挿入穴が前記筒状の一端の開口部に形成され、前記ジャンパ線を挿入するジャンパ線挿入穴が前記筒状の他端の開口部に形成されたコネクタ本体と、
前記コネクタ本体内に配設され、前記端子挿入穴に挿入された前記ラッピング端子と導通する端子導通体と、
前記コネクタ本体内に配設され、前記端子導通体と導通し、かつ、前記ジャンパ線挿入穴に挿入された前記ジャンパ線と導通するジャンパ線導通体と、
前記ジャンパ線導通体とによって前記ジャンパ線を挟持する挟持体と、
を備えることを特徴とするラッピング端子用コネクタ。
【請求項２】
前記ジャンパ線導通体は、前記挟持体とによって前記ジャンパ線を挟持した際に、前記ジャンパ線の表皮を剥がして心線と導通する切断接触部を有する、
ことを特徴とする請求項１に記載のラッピング端子用コネクタ。
【発明の詳細な説明】
【技術分野】
【０００１】
この発明は、端子台に多数密接して配設されている針状のラッピング端子に、ジャンパ線を接続するためのラッピング端子用コネクタに関する。
【背景技術】
【０００２】
例えば、ＩＤＦ（中間接続盤）のラッピング端子（ＩＤＦ端子）にジャンパ線を接続する場合、専用のラッピング工具を使用して、ジャンパ線をラッピング端子に巻き付ける必要がある。しかしながら、作業現場において、急きょジャンパ線の接続を要する場合があり、このような場合に、専用のラッピング工具を所持、携帯していないと、ジャンパ線の接続が行えないことになる。
【０００３】
このため、専用のラッピング工具を使用しなくても、ジャンパ線を接続することができる、というコネクタが知られている（例えば、特許文献１参照。）。このコネクタは、接続金具が収容されている端子挿入用の端子カバーと、ジャンパ線を収容するための保護カバーとが並設され、端子カバーの先端から、接続金具と一体的な接続端が突出している。そして、端子カバーの基端部からラッピング端子を挿入し、保護カバーの基端部からジャンパ線を挿入して、ジャンパ線の先端部を接続端のエッジ溝に挿入する。これにより、ラッピング端子とジャンパ線とが、接続金具と接続端とを介して接続されるものである。
【先行技術文献】
【特許文献】
【０００４】
【特許文献１】特開２０１０−２３８４６５号公報
【発明の概要】
【発明が解決しようとする課題】
【０００５】
ところで、上記特許文献１のコネクタでは、端子カバーと保護カバーとが平行に並設されているため、ジャンパ線の接続状態において、ジャンパ線が端子台の台面（ラッピング端子の基端面）を沿ってから、ラッピング端子に沿うように折り曲げられた（立ち上がった）状態となり、広い配設スペースを要する。このため、ラッピング端子が多数密接して配設されている端子台において、このようなコネクタでジャンパ線を接続することは、スペース上困難である。
【０００６】
また、端子カバーの先端から突出している接続端において、ジャンパ線の先端部が接続されているため、接続部が露出することになり、外部との接触による短絡などを生じるおそれがある。
【０００７】
そこでこの発明は、専用のラッピング工具を使用しなくても、密接して配設されているラッピング端子に対して、ジャンパ線を適正に接続することができるラッピング端子用コネクタを提供することを目的とする。
【課題を解決するための手段】
【０００８】
上記課題を解決するために、請求項１に記載の発明は、針状のラッピング端子に、ジャンパ線を接続するためのラッピング端子用コネクタであって、直線状に伸びた筒状で、前記ラッピング端子を挿入する端子挿入穴が前記筒状の一端の開口部に形成され、前記ジャンパ線を挿入するジャンパ線挿入穴が前記筒状の他端の開口部に形成されたコネクタ本体と、前記コネクタ本体内に配設され、前記端子挿入穴に挿入された前記ラッピング端子と導通する端子導通体と、前記コネクタ本体内に配設され、前記端子導通体と導通し、かつ、前記ジャンパ線挿入穴に挿入された前記ジャンパ線と導通するジャンパ線導通体と、前記ジャンパ線導通体とによって前記ジャンパ線を挟持する挟持体と、を備えることを特徴とする。
【０００９】
この発明によれば、コネクタ本体の端子挿入穴にラッピング端子を挿入し、ジャンパ線挿入穴にジャンパ線を挿入することで、ラッピング端子が端子導通体と導通し、端子導通体と導通するジャンパ線導通体がジャンパ線と導通する。つまり、端子導通体とジャンパ線導通体とを介して、ラッピング端子とジャンパ線とが導通される。また、ジャンパ線導通体と挟持体とによってジャンパ線が挟持され、ラッピング端子とジャンパ線とが、導通状態で接続される。そして、このような接続状態では、直線状に伸びた筒状のコネクタ本体の一端部側にラッピング端子が位置し、コネクタ本体の他端部側からジャンパ線が突出した状態となる。つまり、針状のラッピング端子の略延直線上にジャンパ線が配設された状態となる。
【００１０】
請求項２に記載の発明は、請求項１に記載のラッピング端子用コネクタにおいて、前記ジャンパ線導通体は、前記挟持体とによって前記ジャンパ線を挟持した際に、前記ジャンパ線の表皮を剥がして心線と導通する切断接触部を有する、ことを特徴とする。
【００１１】
この発明によれば、表皮が剥がされていないジャンパ線をジャンパ線挿入穴に挿入し、ジャンパ線導通体と挟持体とによってジャンパ線を挟持することで、切断接触部によってジャンパ線の表皮が剥がされ、ジャンパ線の心線と切断接触部とが導通される。
【発明の効果】
【００１２】
請求項１の発明によれば、コネクタ本体の端子挿入穴にラッピング端子を挿入し、ジャンパ線挿入穴にジャンパ線を挿入して、挟持体でジャンパ線を挟持するだけで、専用のラッピング工具を使用しなくても、ラッピング端子にジャンパ線を容易に接続することができる。しかも、ラッピング端子の略延直線上にジャンパ線が配設された状態となり、ジャンパ線がラッピング端子に対して略真っ直ぐに延びた状態で配設されるため、広い配設スペースを要しない。このため、ラッピング端子が多数密接して配設されている端子台においても、ジャンパ線を接続することができる。さらに、端子導通体とジャンパ線導通体とがコネクタ本体内に配設され、ラッピング端子とジャンパ線との導通、接続がコネクタ本体内で行われるため、外部との接触による短絡などが生じるおそれがない。このように、密接して配設されているラッピング端子に対して、ジャンパ線を適正に接続することができるものである。
【００１３】
請求項２の発明によれば、ジャンパ線をジャンパ線挿入穴に挿入し、ジャンパ線導通体と挟持体とによってジャンパ線を挟持するだけで、ジャンパ線の表皮を剥がして、ラッピング端子とジャンパ線とを導通、接続することができる。すなわち、作業員が予めジャンパ線の皮むきを行う必要がなく、作業員の労力を軽減できるとともに、常に適正に表皮を剥がして、適正な導通、接続を行うことができる。
【図面の簡単な説明】
【００１４】
【図１】この発明の実施の形態に係るラッピング端子用コネクタを示す断面図である。
【図２】図１のラッピング端子用コネクタを介して、ラッピング端子とジャンパ線とを接続した状態を示す断面図である。
【図３】図１のラッピング端子用コネクタのジャンパ線導通体と押えボタンとの位置関係を示す図であり、（ａ）は、押えボタンを押下しない状態を示し、（ｂ）は、押えボタンを押下した状態を示す。
【発明を実施するための形態】
【００１５】
以下、この発明を図示の実施の形態に基づいて説明する。
【００１６】
図１は、この発明の実施の形態に係るラッピング端子用コネクタ１を示す断面図である。このラッピング端子用コネクタ１は、図２に示すような針状のラッピング端子１０１に、ジャンパ線１０２を接続するためのコネクタであり、主として、コネクタ本体２と、端子導通体３と、ジャンパ線導通体４と、押えボタン（挟持体）５とを備えている。
【００１７】
コネクタ本体２は、棒状で、ラッピング端子１０１に装着した際に、隣接するラッピング端子１０１のラッピング端子用コネクタ１に接触せず、かつ抜き差し・着脱が容易なように、その幅（径）および長さが設定されている。つまり、ラッピング端子１０１が多数密接して配設されている端子台１００に対して、各ラッピング端子１０１にラッピング端子用コネクタ１を容易に着脱可能なように、幅と長さとが設定されている。
【００１８】
このコネクタ本体２は、電気絶縁性を有し、かつ弾性変形が容易な材料で構成され、一端面側（ラッピング端子１０１側）から端子挿入穴２１が形成され、他端面側（ジャンパ線１０２側）からジャンパ線挿入穴２２が形成されている。端子挿入穴２１は、ラッピング端子１０１を挿入する穴であり、コネクタ本体２の一端面側から他端面側に向かって、湾曲状に開口が小さくなるように形成されている。また、ジャンパ線挿入穴２２は、ジャンパ線１０２を挿入する丸穴であり、一端面側から他端面側に向かって、同じ開口で真っ直ぐに延び、端子挿入穴２１と連通・結合されている。つまり、端子挿入穴２１とジャンパ線挿入穴２２とは、同軸上に、かつコネクタ本体２の軸心上に形成されている。このジャンパ線挿入穴２２の径は、表皮・被覆を含むジャンパ線１０２の外径よりも、やや大きく設定されている。
【００１９】
端子導通体３は、コネクタ本体２内に配設され、端子挿入穴２１に挿入されたラッピング端子１０１と導通する導体である。すなわち、電気伝導性を有し、かつ弾性変形が容易な材料（バネ材など）で構成され、板状で、図１中端子挿入穴２１の上壁面および下壁面に沿うように配設されている。そして、端子挿入穴２１内にラッピング端子１０１を挿入すると、図２に示すように、端子導通体３および端子挿入穴２１が開いて（弾性変形して）、ラッピング端子１０１を挟持し、ラッピング端子１０１と端子導通体３とが導通する。また、ラッピング端子１０１を抜くと、図１に示すように、端子導通体３および端子挿入穴２１が閉じるようになっている。
【００２０】
同様に、ジャンパ線挿入穴２２から端子挿入穴２１に向けてジャンパ線１０２を挿入すると、端子導通体３および端子挿入穴２１が開いてジャンパ線１０２を挟持し、ジャンパ線１０２を抜くと、端子導通体３および端子挿入穴２１が閉じるようになっている。このような端子導通体３が、コネクタ本体２の一端部からジャンパ線挿入穴２２との連通部（ジャンパ線挿入穴２２側に位置する押えボタン５）まで、一体的に延びるように配設されている。
【００２１】
ジャンパ線導通体４は、コネクタ本体２内に配設され、端子導通体３と導通し、かつジャンパ線挿入穴２２に挿入されたジャンパ線１０２と導通する導体であり、この実施の形態では、２つ配設されている。すなわち、電気伝導性を有する材料で構成されたブロック状で、図１に示すように、一方のジャンパ線導通体４が、端子導通体３のジャンパ線挿入穴２２側の端部に接続され、他方のジャンパ線導通体４が、端子導通体３の中央部（直線的に延び始める部位）に接続されている。
【００２２】
また、図３に示すように、ジャンパ線導通体４には、図中上部が開口した切断接触部４１が形成されている。この切断接触部４１は、接触部４１ａと切断部４１ｂとを備え、接触部４１ａは、スリット状（矩形の切欠き状）で下方に延びている。また、切断部４１ｂは、接触部４１ａの垂直面とジャンパ線導通体４の上面とで形成される角部を、斜めに成形したＣ面状となっている。そして、後述する押えボタン５を押下しない状態では、図３（ａ）に示すように、押えボタン５とジャンパ線導通体４の切断部４１ｂとの間にジャンパ線１０２が位置し、押えボタン５を押下すると、図３（ｂ）に示すように、ジャンパ線１０２とジャンパ線導通体４とが導通するようになっている。
【００２３】
すなわち、押えボタン５を押下すると、ジャンパ線１０２が切断接触部４１側に押圧され、ジャンパ線１０２が切断部４１ｂに押し込まれることで、ジャンパ線１０２の表皮が切断部４１ｂによって剥がされる。さらに、表皮が剥がされて露出したジャンパ線１０２の心線が、接触部４１ａで挟持された状態となり、ジャンパ線１０２とジャンパ線導通体４とが導通するように、接触部４１ａおよび切断部４１ｂの形状が設定されている。
【００２４】
ここで、図中、端子導通体３とジャンパ線導通体４の一部がコネクタ本体２から露出しているが、これは説明、理解の便宜上であり、端子導通体３とジャンパ線導通体４とは、コネクタ本体２内に完全に収容され、露出部はない。
【００２５】
押えボタン５は、ジャンパ線導通体４とによってジャンパ線１０２を挟持するものであり、電気絶縁性を有する材料で構成されている。この押えボタン５は、略円柱状（ピン状）で、各ジャンパ線導通体４の切断接触部４１に対向し、かつ切断接触部４１側に移動可能に、コネクタ本体２に配設されている。また、外力を受けていない状態では、図３（ａ）に示すように、押えボタン５の先端部（下端部）がジャンパ線１０２に接しないで、外力を受けて押下されると、図３（ｂ）に示すように、ジャンパ線１０２を切断接触部４１側に押圧するように、配設位置および先端部形状が設定されている。
【００２６】
そして、押下された状態で、押えボタン５の先端部とジャンパ線導通体４の切断接触部４１とで、ジャンパ線１０２を挟持するようになっている。さらに、押えボタン５の上部には、外周面からリング状に突出した突起部５１が形成され、押えボタン５が押下されていない状態では、突起部５１がコネクタ本体２から突出し、押えボタン５が押下された状態では、突起部５１がコネクタ本体２内に食い込み、押えボタン５が引き出しにくいようになっている。これにより、押えボタン５とジャンパ線導通体４とによるジャンパ線１０２の挟持、保持が、強固に維持されるようになっている。
【００２７】
次に、このような構成のラッピング端子用コネクタ１の使用方法、作用などについて、説明する。
【００２８】
ラッピング端子１０１にジャンパ線１０２を接続するには、まず、表皮を剥がさない状態で、ジャンパ線１０２をラッピング端子用コネクタ１のジャンパ線挿入穴２２に挿入する。このとき、図２に示すように、２つの押えボタン５を通過して、コネクタ本体２の中央部までジャンパ線１０２を挿入する。続いて、２つの押えボタン５を押下する。これにより、上記のように、ジャンパ線１０２の表皮がジャンパ線導通体４の切断接触部４１によって剥がされ（被覆が破れ）、ジャンパ線１０２の心線がジャンパ線導通体４に導通するとともに、ジャンパ線１０２がジャンパ線導通体４と押えボタン５とによって挟持される。
【００２９】
次に、このようにしてジャンパ線１０２が装着されたラッピング端子用コネクタ１を、ラッピング端子１０１に装着する。すなわち、ラッピング端子用コネクタ１の端子挿入穴２１（端子導通体３間）に、ラッピング端子１０１を根元付近まで挿入する。これにより、上記のように、端子導通体３および端子挿入穴２１が開いてラッピング端子１０１が挟持され、ラッピング端子１０１と端子導通体３とが導通する。
【００３０】
このようにして、ラッピング端子用コネクタ１をラッピング端子１０１に装着した状態では、ラッピング端子１０１とジャンパ線１０２とが、端子導通体３とジャンパ線導通体４とを介して導通される。また、図２に示すように、針状に真っ直ぐ延びたラッピング端子１０１に対して、ジャンパ線１０２が同軸上に延びた状態で配設され、さらに、ラッピング端子用コネクタ１も、ラッピング端子１０１に対して同軸上に配設された状態となる。つまり、ラッピング端子１０１の延直線上に、ラッピング端子用コネクタ１とジャンパ線１０２とが、真っ直ぐ延びた状態となるものである。
【００３１】
以上のように、このラッピング端子用コネクタ１によれば、コネクタ本体２のジャンパ線挿入穴２２にジャンパ線１０２を挿入して、押えボタン５を押下し、コネクタ本体２の端子挿入穴２１にラッピング端子１０１を挿入するだけで、ラッピング端子１０１にジャンパ線１０２を容易に接続することができる。すなわち、専用のラッピング工具を使用しなくても、ラッピング端子１０１にジャンパ線１０２を容易に接続することができるため、作業現場において、急きょジャンパ線１０２の接続を要する場合などであっても、迅速かつ容易に対応することができる。
【００３２】
しかも、ジャンパ線挿入穴２２にジャンパ線１０２を挿入して、押えボタン５を押下するだけで、ジャンパ線１０２の表皮を剥がして、ラッピング端子１０１とジャンパ線１０２とを導通、接続することができる。すなわち、作業員が予めジャンパ線１０２の皮むきを行う必要がなく、作業員の労力を軽減できるとともに、常に適正に表皮を剥がして、適正な導通、接続を行うことができる。
【００３３】
また、ラッピング端子１０１にジャンパ線１０２を接続した状態では、ラッピング端子１０１の延直線上に、ラッピング端子用コネクタ１とジャンパ線１０２とが、真っ直ぐ延びた状態となるため、広い配設スペースを要しない。このため、ラッピング端子１０１が多数密接して配設されている端子台１００においても、複数のジャンパ線１０２を容易かつ確実に接続することができる。さらに、端子導通体３とジャンパ線導通体４とがコネクタ本体２内に配設され、ラッピング端子１０１とジャンパ線１０２との導通、接続がコネクタ本体２内で行われるため、外部との接触による短絡などが生じるおそれがない。
【００３４】
さらに、ジャンパ線１０２がジャンパ線導通体４と押えボタン５とによって挟持、保持されるため、ジャンパ線１０２が抜けることがなく、また、ラッピング端子１０１も、端子導通体３のバネ力によって挟持、保持されるため、抜けることがない。このように、密接して配設されているラッピング端子１０１に対して、ジャンパ線１０２を適正かつ容易に接続することができるものである。
【００３５】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、ジャンパ線導通体４と押えボタン５とを２組設けているが、ジャンパ線１０２の保持力やジャンパ線１０２との導通性を高めるために、３組以上設けてもよい。あるいは、ジャンパ線導通体４を端子挿入穴２１に沿って長く形成し、ジャンパ線１０２との接触面積を大きくしてもよい。また、端子挿入穴２１と端子導通体３とが、湾曲状に開口が小さくなるように形成、配設されているが、同じ開口で真っ直ぐ延びるように形成、配設してもよい。
【００３６】
さらに、ジャンパ線１０２の接続先端部の表皮を剥がした後に、ジャンパ線１０２をラッピング端子用コネクタ１に装着してもよく、この場合、ジャンパ線導通体４において皮むき機構が不要となり、より簡易な構成にすることが可能となる。また、上記の実施の形態では、ジャンパ線１０２をラッピング端子用コネクタ１に装着した後に、ラッピング端子１０１に装着しているが、ラッピング端子１０１の配設状況などに応じて、ラッピング端子１０１にラッピング端子用コネクタ１を装着した後に、ラッピング端子用コネクタ１にジャンパ線１０２を装着してもよい。
【符号の説明】
【００３７】
１      ラッピング端子用コネクタ
２      コネクタ本体
２１    端子挿入穴
２２    ジャンパ線挿入穴
３      端子導通体
４      ジャンパ線導通体
４１    切断接触部
４１ａ  接触部
４１ｂ  切断部
５      押えボタン（挟持体）
５１    突起部
１００  端子台
１０１  ラッピング端子
１０２  ジャンパ線
【図１】
0005797445.tif 000002
【図２】
0005797445.tif 000003
【図３】
0005797445.tif 000004